(57)【特許請求の範囲】
【請求項１】
遊技を制御する制御基板を内封する基板ケースと、
前記基板ケースが固定される固定手段と、
前記固定手段が開閉支持手段を介して取り付けられる台座手段と、
前記台座手段が取り付けられる遊技部材と、
を備える遊技機であって、
前記基板ケースを前記固定手段に固定するための第１連結封止手段を備え、
前記固定手段は、前記第１連結封止手段と連結封止される第２連結封止手段を備え、
前記開閉支持手段は、連結封止された前記基板ケース及び前記固定手段が前記台座手段の少なくとも一部を被覆する閉状態と当該被覆された部分を露出する開状態とをとるように、前記基板ケース及び前記固定手段を開閉自在に支持し、
前記基板ケース及び前記固定手段が前記第１連結封止手段及び前記第２連結封止手段によって連結封止された状態において、前記基板ケース及び前記固定手段は前記開閉支持手段との支持を解除できない構成とされ、
前記基板ケース及び前記固定手段と前記開閉支持手段との支持を解除した場合には、前記基板ケースと前記固定手段との少なくとも一方に痕跡が残る構成とされ、または前記開閉支持手段に痕跡が残る構成とされ、
前記台座手段は、前記遊技部材からの取り外しを規制する取り外し規制手段を介して前記遊技部材に取り付けられ、
前記台座手段が前記遊技部材から取り外された場合には、前記取り外し規制手段に痕跡が残る構成とされる、
ことを特徴とする遊技機。
【発明の詳細な説明】
【技術分野】
【０００１】
本発明は、パチンコ機やスロットマシンに代表される遊技機に関するものである。
【背景技術】
【０００２】
遊技機において、基板ケースを取り付ける台座が開閉するようにして不正行為を抑制しようとした遊技機がある。
【０００３】
このような構成の遊技機については、例えば、次の文献を挙げることができる。
【先行技術文献】
【特許文献】
【０００４】
【特許文献１】特開２００４−０３３６０３号公報
【発明の概要】
【発明が解決しようとする課題】
【０００５】
上述した従来技術にあっては、より好適に不正を抑制したいという要望があった。
【０００６】
また、開閉部分に対して不正対策をしようとするとリサイクル上も問題があった。
【０００７】
本発明は、かかる問題点に鑑みて案出されたものであり、不正行為を好適に抑制し、台座に基板ケースを開閉自在に支持することを目的とする。
【課題を解決するための手段】
【０００８】
遊技を制御する制御基板を内封する基板ケースと、
前記基板ケースが固定される固定手段と、
前記固定手段が開閉支持手段を介して取り付けられる台座手段と、
前記台座手段が取り付けられる遊技部材と、
を備える遊技機であって、
前記基板ケースを前記固定手段に固定するための第１連結封止手段を備え、
前記固定手段は、前記第１連結封止手段と連結封止される第２連結封止手段を備え、
前記開閉支持手段は、連結封止された前記基板ケース及び前記固定手段が前記台座手段の少なくとも一部を被覆する閉状態と当該被覆された部分を露出する開状態とをとるように、前記基板ケース及び前記固定手段を開閉自在に支持し、
前記基板ケース及び前記固定手段が前記第１連結封止手段及び前記第２連結封止手段によって連結封止された状態において、前記基板ケース及び前記固定手段は前記開閉支持手段との支持を解除できない構成とされ、
前記基板ケース及び前記固定手段と前記開閉支持手段との支持を解除した場合には、前記基板ケースと前記固定手段との少なくとも一方に痕跡が残る構成とされ、または前記開閉支持手段に痕跡が残る構成とされ、
前記台座手段は、前記遊技部材からの取り外しを規制する取り外し規制手段を介して前記遊技部材に取り付けられ、
前記台座手段が前記遊技部材から取り外された場合には、前記取り外し規制手段に痕跡が残る構成とされる、
ことを特徴としている。
【発明の効果】
【０００９】
本発明によれば、好適に不正行為を抑制し、台座に基板ケースを開閉自在に支持できる。
【図面の簡単な説明】
【００１０】
【図１】本発明にかかる遊技機の一例であるパチンコ機の正面図である。
【図２】本発明にかかる遊技機の一例であるパチンコ機の右側面図である。
【図３】本発明にかかる遊技機の一例であるパチンコ機の平面図である。
【図４】本発明にかかる遊技機の一例であるパチンコ機の遊技盤の正面図である。
【図５】本発明にかかる遊技機の一例であるパチンコ機の背面図である。
【図６】本発明にかかる遊技機の一例であるパチンコ機のセット板を開いた背面の斜視図である。
【図７】本発明にかかる遊技機の一例であるパチンコ機の基板ユニットを備えた遊技盤の裏面の一方向から見た斜視図である。
【図８】本発明にかかる遊技機の一例であるパチンコ機の基板ユニットを備えた遊技盤の裏面の別の方向から見た斜視図である。
【図９】本発明にかかる遊技機の一例であるパチンコ機の基板ユニットを備えた遊技盤の背面図である。
【図１０】本発明にかかる遊技機の一例であるパチンコ機の球集合板からスペーサー及び基板ケースを外した状態の斜視図である。
【図１１】本発明にかかる遊技機の一例であるパチンコ機の遊技盤から球集合板を外し、スペーサーを開き、基板ケースを分離した状態の一方向から見た分解斜視図である。
【図１２】本発明にかかる遊技機の一例であるパチンコ機の遊技盤から球集合板とスペーサーを一体として外し、板ケースを分離した状態の別の方向から見た分解斜視図である。
【図１３】本発明にかかる遊技機の一例であるパチンコ機の遊技盤から球集合板を外し、スペーサーを開き、基板ケースを分離した状態の一方向から見た分解斜視図である。
【図１４】本発明にかかる遊技機の一例であるパチンコ機の遊技盤から球集合板を外し、スペーサーを開き、基板ケースを分離した状態の別の方向から見た分解斜視図である。
【図１５】本発明にかかる遊技機の一例であるパチンコ機の遊技盤から球集合板（２層構造）、スペーサー、連結台座部材、基板ケースを分離した状態の分解斜視図である。
【図１６】本発明にかかる遊技機の一例であるパチンコ機に用いる開閉機構の連結台の拡大斜視図である。
【図１７】本発明にかかる遊技機の一例であるパチンコ機に用いる開閉機構のヒンジ金具を球集合板に取り付ける工程（Ａ）（Ｂ）（Ｃ）（Ｄ）を示す斜視図及び縦断側面図である。
【図１８】本発明にかかる遊技機の一例であるパチンコ機に用いる連結台座部材の分解図である。
【図１９】本発明にかかる遊技機の一例であるパチンコ機に用いる連結台座部材と基板ケースの分解斜視図である。
【発明を実施するための形態】
【００１１】
本発明において、次の語彙を明らかにしておく。
本発明において、遊技部材とは、パチンコ機等にあっては、例えば、遊技盤を指し、スロットマシン、スロットマシンとパチンコ機の融合機等においては、例えばリール（回胴体）を主体としたものを意味する。
また、台座部材とは、パチンコ機等にあっては、例えば、球集合板、スロット機等にあっては、前記遊技部材に敷設の部材を言う。
本発明において、連結封止とは、痕跡を残すことなく基板ケース、連結台座部材の連結を解除できない状態とすることを意味する。
開閉機構とは、遊技盤側と連結台座部材とを枢支連結するヒンジ機能を有するものである。
連結台座部材とは、基板ケースを搭載し、固定して、これを遊技盤側（球集合板）に取り付けるための部材である。
第１連結封止部とは、基板ケースに設けられて、連結台座部材と連結封止されるもので、少なくとも１個あればよい。
第２連結封止部とは、連結台座部材に設けられ、基板ケースの第１連結封止部と連結されるもので、少なくとも１個あればよい。
第１係合部とは、開閉機構に存し、連結台座部材と係合する部位を言い、実施例では鋼板製の平板状体であるが、その素材、形状を限定されるものではない。
第２係合部とは、連結台座部材の内部に設けられ、開閉機構の第１係合部と係合する部位で、実施例では、薄い鋼板で構成されているが、その素材、形状を限定するものではない。
第２係合部における規制機構を構成する略コノ字の舌片とは、平面視の形状を現すが、その舌片は、必ずしも、矩形乃至四角形でなくともよく、三角形や半円形等の形状のものであってもよい。
そして、前記連結台座部材の第２連結封止部には、プラス、マイナスのドライバー、六角レンチ等で操作可能な一般のネジ、止め付け後に頭部が破断される破断ネジ、軸部に回動操作用のレバーが設けられたネジ、或いはナイラッチ等、二者の連結固定を可能にする手段を用い得る。また、第１ケースの第１封止部と第２ケースの第２封止部についても、両者の連結に、前述したような種々の連結の手段を用い得る。
【００１２】
本発明にかかる遊技機は、手段１として、
遊技領域を前面側に形成してある遊技部材、該遊技部材の裏面に固定された台座部材、該台座部材の裏面側に設けられた基板ケースを備え、該基板ケースは、第１封止部を備える第１ケースと第２封止部を備える第２ケースを有し、内部に遊技を制御する制御基板を収容するように構成された遊技機であって、
前記基板ケースを、前記台座部材の少なくとも一部を被覆する状態と露出する状態とに開閉するための開閉機構が設けられ、
前記開閉機構と前記基板ケースとにそれぞれ連結される連結台座部材が設けられ、
更に、前記基板ケースは、前記連結台座部材と連結封止される第１連結封止部を備え、
前記連結台座部材は、前記基板ケースと連結封止される第２連結封止部と前記開閉機構に対する第２係合部とを備え、
前記開閉機構は、前記第２係合部に係合する前記第１係合部と、開閉のための軸を有するヒンジ金具とを備え、
該ヒンジ金具の一方が連結部を有し、
前記開閉機構の第１係合部と前記連結台座部材の第２係合部は、両者が一旦係合された後は破壊等強制解除の痕跡を残すことなく解除できないように構成されており、
前記連結部が、前記台座部材に対して、その遊技部材への取り付け面側から操作して取り付けられ、前記台座部材が遊技部材の裏面に固定された後には前記連結部の連結が解除できないようにすると共に前記台座部材が取り外された後には連結の解除が可能であることで前記連結部を破壊することなく前記ヒンジ金具を取り外し可能としたことを特徴とする。
【００１３】
このように構成したことで、遊技機の開閉式の基板ケースのヒンジ金具の取り付けを行いながら組み付け完了後は取り外し不能として不正対策に寄与でき、また、必要に応じて台座部材の連結部を破壊しないでヒンジ金具を取り外すことで、台座部材から取り外し可能とし、廃棄処分等においてリサイクル性を向上させることができるのである。
【００１４】
手段２：手段１の遊技機において、
前記台座部材の裏面に、遊技機裏面側に向けて突出する連結台が、その前面側に空間を形成する状態で一体成型により設けられており、前記連結部は、前記開閉のための軸を貫設した前部連結体と、該前部連結体に一体のネジ止め部とを有し、前記連結台には、前記連結部のネジ止め部及び前部連結体を挿入するための縦スリットが、遊技盤の平面に略平行な方向で形成され、また、前記連結部の前部連結体を挿入するための横スリットが、遊技部材の平面に略直行する方向で前記横スリットに連続する状態で形成され、且つ、前記連結台の上部に前記ネジ止め部を前面側からの螺合で支持するネジ受け部が設けられていることを特徴とする。
【００１５】
このように、台座部材にヒンジ金具（ネジ止め部と前部連結体）の取り付けを行うに、成型ではあるが台構造とし、ヒンジ金具の位置を所要高さに設定できながら該連結台に縦、横スリットを形成して差し込むように構成したことによって、連結台の強度を確保し、且つ、ヒンジ金具を台座部材と一体成型するのではなく後付けできるようにするものでありながら、ヒンジ金具の一部を連結台の内側においてネジ止めでき、遊技機の前面側からのネジ止めで遊技盤に対する台座部材取り付け後は外部からネジを外せないようにすることができた。これによって、破断ネジを用いる必要もなく、又、ヒンジ金具を一体成型で埋め込んでしまうことなく、必要に応じて取り外しすることができる。
【００１６】
手段３：手段２の遊技機において、
前記ネジ受け部は、前記縦スリット及び横スリットを形成するようにして前記連結台の上部に、その一側部で片持ち支持されるように一体成型されており、前記ネジ連結部は、前記ネジ止め部に連続して延設された支え部を有し、前記縦スリットが位置する連結台の一側部に、該縦スリットへの前記ネジ止め部の挿入後において外部に位置する前記支え部に接当して支持する支持台部が前記連結台と一体的に形成されていることを特徴とする。
【００１７】
このように、ヒンジ金具を差込方式で後付けできるように、前記縦スリット及び横スリットを形成したことで、そのネジ受け部は結果として片持ち支持される構造となり、その為、ここにネジ止めされたヒンジ金具の連結部に、その前部連結体を介して伝わる基板ケース等の荷重（基板ケースの特に閉鎖時にも曲げモーメントが作用する）が、その片持ち支持のネジ受け部を連結台内方に向けて折るように作用することになるのであるが、これを、前記支え部を介して、前記支持台部で受け止め、前記ネジ受け部が撓まないように支持することができるのである。
この際、前記支持台部が前記連結台と一体的に形成されていることで、十分な強度でもって、荷重に対向してネジ受け部を保護できる。
【００１８】
手段４：手段２又は手段３の遊技機において、
前記連結部のネジ止め部は、平板状体で構成され、その一端部の両側部から前部連結体が、側面視でコの字型を呈するように、夫々折り曲げ形成されていることを特徴とする。
【００１９】
このように、ヒンジ金具の連結部を、平板状体を折り曲げた簡単な構造で得ることができると共にコの字型として支持強度を発揮させることができる。
【００２０】
手段５：手段１乃至手段４の遊技機において、
前記ヒンジ金具の他方が後部連結体を有し、該後部連結体は、これに一体の支持面部を介して、前記第１係合部に繋がり、前記支持面部が前記連結台座部材の側面を接当支持していることを特徴とする。
【００２１】
このように、ヒンジ金具の他方が後部連結体を有し、これに支持面部が一体となっていて、この部分が連結台座部材の側面に接当されることで、基板ケースの開閉にさいして、この支持面部を介して開閉力を伝達できて、第２係合部のみに力が作用することがないようにして、支持力を分散させることができる。
【００２２】
手段６：手段１乃至手段５の遊技機において、
前記基板ケースよりも前方側において、スペーサーが、前記台座部材を直接に被覆する状態と露出する状態に開閉するように、前記基板ケースの前記ヒンジ金具とは反対側において回動自在に設けられ、前記ヒンジ金具には補強体が設けられ、前記スペーサー及び基板ケースの被覆状態において、該補強体が前記スペーサーの一部に入りこんでいることを特徴とする。
【００２３】
このように、スペーサーにより台座部材が被覆される構成において、前記ヒンジ金具の補強体がスペーサーの一部に入り込む構造としたことで、ヒンジ金具に加わる荷重を、スペーサーに伝達して分散支持させることが出来る。
尚、この補強体のスペーサーへの入り込みとしては、スペーサーに凹部を形成してもよく、壁面にスリットを形成してもよく、荷重が作用したときの僅かの撓みにより生じる接当状態で支持作用が得られればよくて、常時接触状態でなくともよい。
【００２４】
手段７：手段２乃至手段６の遊技機において、
前記連結台の横スリットに対応する内部位置で、且つ、前記支持台部の上面の延長線上で、前記連結部の両側部を案内するガイドリブが夫々設けられていることを特徴とする。
【００２５】
このように、連結台の内部にガイドリブを設けることで、ヒンジ金具の連結部を縦、横スリットを通して連結台に挿入する際に、その連結部のネジ止め部とこれに連続して延設された支え部を前記支持台部の上面に載せ、滑らせて挿入して行くと、その支持台部の上面を過ぎたところからは、そのネジ止め部の両側部分を前記ガイドリブに乗せて案内させながら連結台内部へとスムースに挿入することができる。
【００２６】
手段８：手段２乃至手段７の遊技機において、
前記連結台の内部で、前記連結部が挿入される奥側の内面壁の幅方向略中央位置に、上下の方向に伸びる補強リブが形成され、該補強リブの上端部が前記ネジ止め部を下方から支持する位置に終端していることを特徴とする。
この補強リブを設けたことによって、連結部を連結台の内部に挿入したときに位置を安定させることができ、以って、ネジ止め部のネジ受け部に対するネジ止め作業を楽に行い得ると共に連結部の端部を支持することでのネジ受け部の荷重による撓みに対向することができる。
【００２７】
手段９：手段２乃至手段８の遊技機において、
前記基板ケースの一側部側に位置する前記ヒンジ金具の後部連結体は、前記基板ケースの一側部側に位置する前記前部連結体の外側に位置されて軸支され、該後部連結体から第１係合部にかけてその横断面がＬ型に形成され、前記第１係合部が前記後部連結体から所定距離離れた位置に設けられていることを特徴とする。
このように、前記第１係合部が前記後部連結体から所定距離離れた位置に設けることで、ヒンジ金具による基板ケースの支えを、基板ケースの長手方向の略中間部側にすることによって、例えば基板ケースの長手方向側の端部での連結支持に比べて、安定支持できることになるが、そのために前記第１係合突片部を後部連結体から所定距離だけ離すようにする必要があり、この部分をＬ型構造とすることで、出来るだけ軽量化しながら十分な強度を付与できて、基板ケースの支持を強固に安定させることができる。
【００２８】
手段１０：手段１乃至手段９の遊技機において、
前記ヒンジ金具の２本の軸は、夫々カシメにより前記前部連結体及び前記後部連結体に対して位置固定されていることを特徴とする。
このように、ヒンジ金具の連結用の軸をカシメとすることで、その連結は一端行われると解除できないものであり、これにより、ネジ連結などのヒンジ金具では容易に分離されて基板ケースを取り替えられてしまう危険性を回避できることになり、このヒンジ金具をターゲットとした不正を回避できる。
【００２９】
手段１１：手段１から手段９のいずれかの遊技機において、
遊技機がパチンコ機であることを特徴とする。
【００３０】
パチンコ機の基本構成としては、操作ハンドルを備え、その操作ハンドルの操作に応じて有価物体の一例である球を所定の遊技領域に発射し、球が遊技領域内の所定の位置に配設された作動口に入賞（または作動ゲートを通過）することを必要条件として、表示装置において動的表示されている識別情報（図柄等）が所定時間後に確定停止されるものが挙げられる。また、特別遊技状態の発生時には、遊技領域内の所定の位置に配設された可変入賞装置（特定入賞口）が所定の態様で開放されて球を入賞可能とし、その入賞個数に応じた有価価値（景品球のみならず、磁気カード書き込まれるデータ等も含む）が付与されるものが挙げられる。
【００３１】
パチンコ機にあっては、遊技機の基板ケースのヒンジ金具の取り付けを行いながら組み付け完了後は取り外し不能として不正対策に寄与でき、また、必要に応じて台座部材の連結部を破壊しないでヒンジ金具を取り外すことができて、廃棄処分等においてリサイクル性を向上させることができるパチンコ機が得られる。
【００３２】
手段１２：手段１から手段９のいずれかの遊技機において、
遊技機がスロット機であることを特徴とする。
【００３３】
スロット機の基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。
この場合、有価物体はコイン、メダル等が代表例として挙げられる。
【００３４】
スロット機にあっては、遊技機の基板ケースのヒンジ金具の取り付けを行いながら組み付け完了後は取り外し不能として不正対策に寄与でき、また、必要に応じて台座部材の連結部を破壊しないでヒンジ金具を取り外すことができて、廃棄処分等においてリサイクル性を向上させることができるスロット機が得られる。
【００３５】
手段１３：手段１から手段９のいずれかの遊技機において、
遊技機がパチンコ機とスロット機を融合させた遊技機であることを特徴とする。
【００３６】
パチンコ機とスロット機を融合させた遊技機の基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備え、有価物体として球を使用するとともに、前記識別情報の動的表示の開始に際しては所定数の球を必要とし、特別遊技状態の発生に際しては多くの球が払い出されるように構成されている遊技機」となる。
【００３７】
パチンコ機とスロット機を融合させた遊技機にあっては、遊技機の開閉式の基板ケースのヒンジ金具の取り付けを行いながら組み付け完了後は取り外し不能として不正対策に寄与でき、また、必要に応じて台座部材の連結部を破壊しないでヒンジ金具を取り外すことができて、廃棄処分等においてリサイクル性を向上させることができるパチンコ機とスロット機を融合させた遊技機が得られる。
【００３８】
以下、図面を参照しつつ本発明に係る遊技機の実施形態について説明する。なお、以下の実施形態では、便宜上、パチンコ機を挙げて説明するが、本発明は、パチンコ機以外の弾球遊技機（例えばアレンジボール機や雀球遊技機など）、その他、遊技球を用いる種々の形態の遊技機に適用することができる。
【００３９】
（パチンコ機の正面構成）
図１は本実施形態のパチンコ機１０の正面図であり、図２は、パチンコ機１０の右側面図であり、図３は、その平面図である。図４は、遊技盤３０の正面図である。
【００４０】
図１乃至図４に示すように、パチンコ機１０は、当該パチンコ機１０の外殻を形成する外枠１１と、この外枠１１の一側部に開閉可能に支持された内枠１２とを備えている。外枠１１は、木製の板材により全体として矩形状に構成され、小ネジ等の離脱可能な締結具により各板材が組み付けられている。なお、外枠１１は、軽量化を図るために、樹脂やアルミニウム等の軽金属により構成されていてもよい。
前記内枠１２の開閉軸線はパチンコ機１０の正面からみて遊技球発射ハンドル１８の設置箇所の反対側（図１のパチンコ機１０の左側）で上下に延びるように設定されており、この開閉軸線を軸心にして内枠１２が前方側に十分に開放できるようになっている。また、内枠１２は合成樹脂、具体的にはＡＢＳ（アクリロニトリルーブタジエンースチレン）樹脂から成る。こうすることで、粘性が高く衝撃に強くでき、低コストで製造できるという利点が発揮される。
【００４１】
前面枠（セット）１４には、下皿１５と球抜きレバー１７と遊技球発射ハンドル１８と灰皿２２と音出力口２４（内枠１２の左右上端部位置）が設けられている。球受皿としての下皿１５は、ほぼ中央部に設けられており、後述の上皿１９が満タンになった場合等に排出口１６より排出される遊技球を停留する役割がある。球抜きレバー１７は、下皿１５内の遊技球を抜くためのものであり、この球抜きレバー１７を図１で左側に移動させることにより、下皿１５の底面の所定箇所が開口され、下皿１５内に停留された遊技球を下皿１５の底面の開口部分を通して遊技者の持球貯留箱（ドル箱）に排出することができる。
【００４２】
そして、遊技球発射ハンドル１８は、下皿１５よりも右方で手前側に突出するように配設されている。遊技者による遊技球発射ハンドル１８の操作に応じて、遊技球発射装置３８（図４参照）によって遊技球が遊技盤３０の方へ打ち込まれるようになっている。遊技球発射装置３８は、遊技球発射ハンドル１８と発射ソレノイドなどで構成されている。
音出力口２４は、内枠１２の左右上端部位置に設けられたスピーカからの音を出力するための出力口である。また、灰皿２２は、図１に示すように、下皿１５の左方に設けられている。灰皿２２は左右方向（水平方向）の軸線を軸心にして回動（例えば前方側に向けて前回り）するように支持されている。
【００４３】
また、前面枠１４は、内枠１２に対して開閉可能に取り付けられており、内枠１２と同様、パチンコ機１０の正面からみて左側に上下に延びる開閉軸線を軸心にして前方側に開放できるようになっている。しかも前面枠１４は内枠１２の外側壁（リブ）内に嵌まり込むようにして取り付けられている。
つまり、この前面枠１４の側面の少なくとも一部が内枠１２の外側壁（リブ）内に嵌まり込むようにして取り付けられているので、内枠１２と前面枠１４との隙間から異物（針状あるいは薄板状等のものであって、具体的には針金、ピアノ線、セルロイド板等）を差し入れるなどの不正行為を防止できるようになっている。また、前面枠１４は、内枠１２と同様に、合成樹脂、具体的にはＡＢＳ樹脂により構成されているので、粘性が高く衝撃に強くでき、低コストで製造できる。
【００４４】
一方、前面枠１４の下部（上述の下皿１５の上方位置）には、遊技球の受皿としての上皿１９（図１参照）が前面枠１４と一体的に設けられている。この上皿１９は、遊技球を一旦貯留し、一列に整列させながら遊技球発射装置３８の方へ導出するための球受皿である。この上皿１９も下皿１５と同様、表面層が難燃性のＡＢＳ樹脂にて成形される構成となっている。
【００４５】
前記内枠１２は、外形が矩形状の樹脂ベースを主体に構成されており、樹脂ベースの中央部には略円形状の窓部孔が形成されている。
そして、樹脂ベースの後側には、図４に示す遊技盤３０が着脱可能に装着されている。図４に示すように、遊技盤３０は四角形状の合板よりなり、上部一方のコーナーが肩落ちされており(後に述べる)、その周縁部が樹脂ベース（内枠１２）の裏側に当接した状態で取着されている。
【００４６】
従って、遊技盤３０の前面部の略中央部分が樹脂ベースの窓部孔を通じて内枠１２の前面側に露出した状態となっている。そして、ここでは、遊技盤３０の前記内枠１２の外枠１１に対する枢着部（パチンコ機１０の正面からみて左側に上下に延びる開閉軸線を軸心にした枢着）に近いコーナー（隅）が、図４に示すように、略三角形状に角落ち（切り欠き）７２０されている。
【００４７】
次に、図４を用いて遊技盤３０の構成を説明する。図４は遊技盤３０の構成を示す正面図である。遊技盤３０の左右やや下方位置には、２組一対の一般入賞口３１、３１が階段状に位置され、中央下方には、始動口３３が配置され、此れらに対応した入球検出センサが、遊技盤３０の背面に設けられており、これらのセンサは、図示しない電気配線を通じて後述する主制御基板（主制御装置）に接続されている。
そして、この一般入賞口３１、３１及び始動口３３に遊技球が入球した場合には、上記各検出センサで検出され、この検出センサの出力に基づいて、上皿１９（または下皿１５）へ所定数の賞品球が払い出されると共に、始動口３３に遊技球が入球した場合には、後述する抽選が開始されることになる。
【００４８】
尚、上記入賞感知センサにて各々検出された検出結果は、後述する主制御基板に取り込まれ、該主制御基板よりその都度の入賞状況に応じた払出指令（遊技球の払出個数）が払出制御基板に送信される。そして、該払出制御基板の出力により所定数の遊技球の払出が実施される。
かかる場合、各種入賞口に入賞した遊技球を入賞球処理装置に一旦集め、その入賞球処理装置で入賞球の存在を１つずつ順番に確認した上で払出を行う従来方式（いわゆる証拠球方式）とは異なり、本実施の形態のパチンコ機１０では、各種入賞口毎に遊技球の入賞を電気的に感知して払出が直ちに行われる（すなわち、本パチンコ機１０では入賞球処理装置を廃止している）。故に、払い出す遊技球が多量にあっても、その払出をいち早く実施することが可能となる。但し、本発明に従来の「証拠球方式」を適用してもよい。
【００４９】
また、遊技盤３０の中央には液晶パネルを用いた装飾図柄表示装置４２が配置されており、その左右横側部には、スルーゲート３４，３４が配置されている。これらのスルーゲートは、遊技球の通過によって、所定の抽選が行われて当選が出た結果、後述の始動口３３の羽根物を開閉作動させる。
その他に、遊技盤３０の左右下方位置には、上記一般入賞口３１、３１を備えた装飾部材３５が設けられ、また、遊技盤３０の下部にはアウト口３６が設けられており、各種入賞装置等に入球しなかった遊技球はこのアウト口３６を通って、遊技盤３０裏面の図示しない球排出路の方へと案内されるようになっている。さらに、遊技盤３０には、遊技球の落下方向を適宜分散、調整等するために多数の誘導釘が植設されているとともに、同様の機能を有する風車３２が配設されている。
【００５０】
また、遊技盤３０には、遊技球発射装置３８から発射された遊技球を遊技盤３０上部へ案内するためのレールユニット５０が取り付けられており、遊技球発射ハンドル１８の回動操作に伴い発射された遊技球はレールユニット５０を通じて所定の遊技領域に案内されるようになっている。レールユニット５０はリング状をなす樹脂成型品（例えば、フッ素樹脂が添加されて成形されたもの）にて構成されており、内外二重に一体形成された内レール５１と外レール５２とを有する。
【００５１】
なお、レールユニット５０はフッ素樹脂を添加して成形されているので、遊技球の摩擦抵抗を少なくできる。内レール５１は上方の約１／４ほどを除いて略円環状に形成され、一部（主に左側部）か内レール５１に向かい合うようにして外レール５２が形成されている。
かかる場合、内レール５１と外レール５２とにより誘導レールが構成され、これら各レール５１、５２が所定間隔を隔てて並行する部分（向かって左側の部分）により球案内通路が形成されている。なお、球案内通路は、遊技盤３０との当接面を有した溝状、すなわち手前側を開放した溝状に形成されている。
【００５２】
内レール５１の先端部分（図４の左上部）には戻り球防止部材５３が取着されている。これにより、一旦、内レール５１および外レール５２間の球案内通路から遊技盤３０の上部へと案内された遊技球が再度球案内通路内に戻ってしまうといった事態が防止されるようになっている。また、外レール５２には、遊技球の最大飛翔部分に対応する位置（図４の右上部：外レール５２の先端部に相当する部位）に返しゴム５４が取着されている。従って、所定以上の勢いで発射された遊技球は、返しゴム５４に当たって跳ね返さわるようになっている。外レール５２の内側面には、遊技球の飛翔をより滑らかなものとするべく、つまり遊技球の摩擦抵抗を少なくするべく、長尺状をなすステンレス製の金属帯としての摺動プレートが取着されている。
【００５３】
また、レールユニット５０の外周部には、外方へ張り出した円弧状のフランジ５６が形成されている。フランジ５６は、遊技盤３０に対する取付面を構成する。レールユニット５０が遊技盤３０に取り付けられる際には、遊技盤３０上にフランジ５６が当接され、その状態で、当該フランジ５６に形成された複数の透孔にネジ等が挿通されて遊技盤３０に対するレールユニット５０の締結がなされるようになっている。
【００５４】
内レール５１および外レール５２間の球案内通路の入口には、同球案内通路の一部を閉鎖するようにして凸部５７が形成されている。この凸部５７は、内レール５１からレールユニット５０下端部にかけて略鉛直方向に設けられ、遊技領域まで至らず球案内通路内を逆流してくるファール球をファール球通路に導くための役目をなす。
なお、遊技盤３０の右下隅部および左下隅部は、証紙（例えば製造番号が記載されている）等のシール（図４のＳ１，Ｓ２）やプレートを貼着するためのスペースとなっており、この貼着スペースを確保するために、フランジ５６に切欠５８，５９が形成されている。遊技盤３０の右下隅部や左下隅部に、証紙等のシール（図４のＳ１，Ｓ２）を貼着することで、遊技盤３０と証紙との一義性を持たせることができる。
【００５５】
次に、遊技領域について説明する。遊技領域は、レールユニット５０の内周部（内外レール）により略円形状に区画形成されている。本実施形態では、遊技領域を、パチンコ機１０の正面から見て、内レール５１および外レール５２によって囲まれる領域のうち、内外レール５１，５２の並行部分である誘導レールの領域を除いた領域としている。
従って、遊技領域と言った場合には誘導レール部分は含まないため、遊技領域の向かって左側限界位置は外レール５２によってではなく内レール５１によって特定される。同様に、遊技領域の向かって右側限界位置は内レール５１によって特定される。また、遊技領城の下側限界位置は遊技盤３０の下端位置によって特定される。また、遊技領域の上側限界位置は外レール５２によって特定される。
【００５６】
前記樹脂ベースにおいて、窓部孔（遊技盤３０）の下方には、遊技球発射装置３８（図６参照）より発射された直後に遊技球を案内するための発射レールが取り付けられている。発射レールは、その後方の金属板を介して樹脂ベースに取付固定されており、所定の発射角度（打ち出し角度）にて直線的に延びるよう構成されている。従って、遊技球発射ハンドル１８の回動操作に伴い発射された遊技球は、まずは発射レールに沿って斜め上方に打ち出され、その後前述した通りレールユニット５０の球案内通路を通じて所定の遊技領域に案内されるようになっている。
【００５７】
また、発射レールとレールユニット５０（誘導レール）との間には所定間隔の隙間があり、この隙間より下方にファール球通路が形成されている。従って、仮に、遊技球発射装置３８から発射された遊技球が戻り球防止部材５３まで至らずファール球として誘導レール内を逆戻りする場合には、そのファール球がファール球通路を介して下皿１５に排出される。
【００５８】
ファール球が誘導レール内を逆流してくる際、その多くは外レール５２に沿って流れ、外レール５２の下端部に到達した時点で下方に落下するが、一部のファール球は誘導レール内で暴れ、内レール５１側へ跳ね上がるものもある。この際、跳ね上がったファール球は、球案内通路入口の前記凸部５７に当たり、ファール球通路に誘導される、これにより、ファール球の全てがファール球通路に確実に案内されるようになり、ファール球と次に発射される遊技球との干渉が抑制される。
【００５９】
なお、詳しい図面の開示は省略するが、遊技球発射装置３８には、前面枠１４側の球出口（上皿１９の最下流部より通じる球出口）から遊技球が１つずつ供給される。また、遊技球発射装置３８には打球槌が設けられ、ソレノイドによる打球槌のスライド動作に伴い遊技球が発射される。
【００６０】
また、前面枠１４を閉鎖した状態では、当該前面枠１４の裏面に設けられた球通路樋によりシャッタが押し開けられて略水平状態になり、排出口の方へ排出された遊技球はもれなく球通路樋を通って上皿１９に排出されるようになる。従って、本パチンコ機１０においては、前面枠１４の開放に際し払出通路内等の遊技球がパチンコ機１０外にこぼれ落ちてしまうといった不都合が防止できるようになっている。
【００６１】
前記内枠１２の上側には、前面枠１４が内枠１２に対して開かれたことを検出する前面枠セット開検出スイッチが設けられている。前面枠１４が開かれると、前面枠セット開検出スイッチからホール内（パテンコ店内）用コンピュータヘ出力されるようになっている。また、前面枠１４が閉じられると、前面枠１４の金属製の補強板が、内枠１２の一対の金具に接触するようになっており、前面枠１４のアースが確保されている。
【００６２】
ここで、前述した前面枠１４について、図１乃至図３を参照しつつより詳細に説明する。
前面枠１４には前記遊技領域のほとんどを外部から視認することができるよう略楕円形状の窓部１０１が形成されている。詳しくは、ベース部材が窓部１０１を形成する開口を備えており、その左右側の略中央部が、上下側に比べて比較的緩やかに湾曲して細化した形状となっている。なお、前記略中央部が直線状になるようにしてもよい。
【００６３】
加えて、前面枠１４には、その周囲（例えばコーナー部分）に、演出装置７００の一つとして、各種ランプ等の発光部が設けられている。これら発光部は、大当たり遊技状態時や羽根開放時等における遊技状態の変化に応じて点灯、点滅のように発光態様が変更制御され遊技中の演出効果を高める役割を果たすものである。例えば、窓部１０１の周縁には、ＬＥＤ等の発光部を内蔵した環状電飾部１０２が左右対称に設けられ、該環状電飾部１０２の中央であってパチンコ機１０の最上部には、同じくＬＥＤ等の発光部を内蔵した中央電飾部１０３が設けられている。
本パチンコ機１０では、中央電飾部１０３が大当たりランプとして機能し、大当たり遊技状態時に点灯や点滅を行うことにより、大当たり遊技状態中であることを報知する。さらに、上皿１９周りにも、同じくＬＥＤ等の発光部を内蔵した上皿電飾部１０４が設けられている。
【００６４】
その他、中央電飾部１０３の左右側方には、賞球払出し中に点灯する賞球ランプ１０５と所定のエラー時に点灯するエラー表示ランプ８１０、８１３（ＬＥＤ：後に言及）とが設けられている。また、環状電飾部１０２の下端部に隣接するようにして、内枠１２表面や遊技盤３０表面等の一部を視認できるよう透明樹脂からなる小窓部１０７が設けられている。この小窓部１０７の所定箇所を平面状としているので、遊技盤３０の右下隅部に貼り付けられた証紙などを、小窓部１０７の当該平面状箇所から機械で好適に読み取ることができる。更に、遊技領域内にも、入賞口用等の電飾ランプ、ＬＥＤが存在するが、こうした発光部も演出装置７００の一部を構成する。
【００６５】
また、図１に示すように、窓部１０１の下方には貸球操作部１２０が配設されており、貸球操作部１２０には球貸しボタンと、返却ボタンと、度数表示部とが設けられている。パチンコ機１０の側方に配置された図示しないカードユニット（球貸しユニット）に紙幣やカード等を投入した状態で貸球操作部１２０が操作されると、その操作に応じて遊技球の貸出が行われる。球貸しボタンは、カード等（記録媒体）に記録された情報に基づいて貸出球を得るために操作されるものであり、カード等に残額が存在する限りにおいて貸出球が上皿１９に供給される。返却ボタンは、カードユニットに挿入されたカード等の返却を求める際に操作される。
【００６６】
そして、度数表示部はカード等の残額情報を表示するものである。なお、カードユニットを介さずに球貸し装置部から上皿１９に遊技球が直接貸し出されるパチンコ機、いわゆる現金機では貸球操作部１２０が不要となる。故に、貸球操作部１２０の設置部分に、飾りシール等が付されるようになっている。これにより、カードユニットを用いたパチンコ機と現金機との貸球操作部の共通化が図れる。
【００６７】
（パチンコ機の背面構成）
図５及び図６は、パチンコ機１０の背面図と、セット板４００を一部開いた斜視図である。先ず、パチンコ機１０の背面構成について全体の概要を説明する。パチンコ機１０にはその背面（実際には内枠１２および遊技盤３０の背面）において、各種制御基板が上下左右に並べられるようにしてまたは前後に重ねられるようにして配置されており、さらに、遊技球を供給するための遊技球供給装置（払出機構）や樹脂製の保護カバー等が取り付けられている。
【００６８】
本実施形態では、内枠１２または遊技盤３０の裏面に主制御基板、音声ランプ制御基板、払出制御基板、発射制御基板および電源基板が設けられている。
【００６９】
また、発射制御装置３１２により、遊技者による遊技球発射ハンドル１８の操作に従い発射ソレノイドの制御が行われ、電源制御装置３１３により、各種制御装置等で要する所定の電源電圧が生成され出力される。カードユニット接続基板３１４は、パチンコ機前面の貸球操作部１２０（図１参照）および図示しないカードユニットに電気的に接続され、遊技者による球貸し操作の指令を取り込んでそれを払出制御装置３１１に出力するものである。なお、カードユニットを介さずに球貸し装置等から上皿１９に遊技球が直接貸し出される現金機では、カードユニット接続基板３１４は不要である。
【００７０】
上記払出制御装置３１１、発射制御装置３１２、電源制御装置３１３およびカードユニット接続基板３１４は、透明樹脂材料等よりなる基板ケース３１５（この内側に位置するもう一つの基板ケース），３１６，３１８にそれぞれ収容された構成とされる。
【００７１】
図６に示すように、払出制御装置３１１には状態復帰スイッチ３２１が設けられている。例えば、払出モーター部の球詰まり等、払出エラーの発生時において状態復帰スイッチ３２１が押下されると、払出モーターが正逆回転され、球詰まりの解消（正常状態への復帰）が図られるようになっている。また、電源制御装置３１３にはＲＡＭ消去スイッチ３２３が設けられている。
【００７２】
そして、前記内枠１２の外枠１１に対する枢着部７２５に近い前記遊技盤３０のコーナーが、図４に示すように、略三角形状（遊技盤の中心側は円弧状）に角落ち７２０されている。前記枢着部７２５は、外枠１１に固定のブラケット（上端部）（下端部は図外）に、内枠１２に固定の取り付け金具を枢着することで構成されている。
【００７３】
ここで、上述したエラー状態などの状態報知について図１及び図５に基づいて述べる。［遊技球の払い出しに関するエラー報知］
（タンク球無し）
タンク球無しの報知は、タンクとタンクレールに遊技球が無いことを報知するもので、図１に示す右コーナーＬＥＤ８１０が点灯し、図５に示すモニターＬＥＤ８１１が消灯し、状態表示８１２が「１」を点滅表示する。
【００７４】
（下受け皿満タン）
下受け皿満タンの報知は、図１に示す右コーナーＬＥＤ８１３が点灯し、前記払出制御装置３１１も受けられたモニターＬＥＤ（図示せず）が消灯する。そして、状態表示８１２が「２」を点滅表示する。
【００７５】
（払出ユニット異常）
払出モーター駆動中にも関わらず払出カウントスイッチに遊技球の通過がない状態を示すもので、右コーナーＬＥＤ８１０が点灯し、モニターＬＥＤ８１１が消灯し、状態表示８１２が、「３」を点滅表示する。
【００７６】
［電源に関するエラー報知］
（ヒューズ切れ１及びヒューズ切れ２）
ヒューズ切れ１は、図５に示す第１ヒューズ８１４に定格以上の電流が流れたとき、ヒューズ切れ２は、第２ヒューズ８１５に以上の定格以上の電流が流れたときに飛んでしまった状態であるが、このエラー状態報知は、表示されない。
【００７７】
［その他のエラー報知］
その他のエラーとしては、「ガラス枠開放」、「内枠開放」、「遊技球等貸出装置未接続」、「遊技球等貸出装置通信異常」、「コマンド異常」、「コネクタ未接続」がある。そのうち、遊技球等貸出装置が未接続の場合は、モニターＬＥＤ及びモニターＬＥＤ（図示せず）が消灯する。そして、遊技球等貸出装置通信異常は、前記状態表示８１２が「Ｕ」を点滅表示する。
また、コマンド異常は、ハーネスの破損等によるコマンド不良を示すもので、前記状態表示８１２が「Ｃ」を点滅表示する（電源投入時にコマンド異常になった場合は点灯表示）。更に、コネクタ未接続は、モニターＬＥＤ（図示せず）が消灯する（ただし、発射動作中は点滅する）。
尚、図６において、８１９は、遊技機電源コードを示し、８２０は、電源スイッチを示し、８２１は、外部接続アース線を示す。
【００７８】
次に、第１制御基板ユニット２０１について述べるが、これは、主たる制御を司るＣＰＵ、遊技プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を収容してなる主制御装置２６１が搭載されているものである。
【００７９】
図７、その他の図面に示すように、前記第１制御基板ユニット２０１は、第１ケース７０及び第２ケース８５を含む。この実施例では、第１ケース７０が主制御装置２６１の制御基板（図外）を収容する容積のある方であり、第２ケース８５がその蓋体に相当する方である。
この基板ユニット２０１は、前記第１ケース７０側に設けられる第１封止部７１と、前記第２ケース側に設けられる第２封止部８６と、その第１封止部７１と第２封止部８６とを連結する封止部材８７とを有し、その封止部材８７によって前記第１封止部７１と第２封止部８６とが連結されている場合に前記制御基板を取り出すときには基板ユニット２０１を破壊するか或いは所定の部位を切断することを必要とするものである。
【００８０】
前記第１ケース７０の第１封止部７１と第２ケース８５の第２封止部８６とは対を成すもので、この実施例では、個別に使用することのできる５個の封止部（封止、開封の再使用不可）から構成されており、それぞれを、封止部材８７を用いて封止するよう構成されたものであり、こうした封止構造は、公知に属するものと変わらないものであるから、ここでの詳細説明は省略する。
【００８１】
図７は、遊技球が流下する遊技領域を前面側に形成してある遊技盤３０の裏面の斜視図であり、便宜上、その上部に位置する他の構成部材を消去して、その下部に設けた第１制御基板ユニット２０１及びその近傍を図示している。図８は、遊技盤３０の裏面を別の方向から見た斜視図であり、図９は、その背面図であり、図１０は、第１制御基板ユニット２０１を開閉機構４１０から取り外した状態を示す。
以下の説明において、前記第１制御基板ユニット２０１を基板ケースの名称で説明をする。
先ず、前記基板ケース２０１を遊技盤３０に対して開閉させる開閉機構４１０について説明する。
この開閉機構４１０は、ヒンジ金具４１２と後述の第１係合部４１４とを備え、前記ヒンジ金具４１２は、後に詳述するが、回動連結のための軸４１１(軸形状は図示省略)を備え、コの字形に折り曲げられた一枚の支持板（約２ｍｍ厚の鋼板）からなる第１部材と、他端側は、その軸４１１を基点にして回動するように枢着された第２部材とで構成されている。前記軸４１１は、リベット構造（カシメ）であり、その両端部を変形させることよって容易に抜き取り出来ないようにされている。
【００８２】
このヒンジ金具４１２について、更に、図１１、図１２及び図１５乃至図１９に基づいて詳述する。
このヒンジ金具４１２の一方がネジ連結部４０１を有し、該ネジ連結部４０１が、後述の球集合板４６０に対して、その遊技盤３０への取り付け面側から２本のネジ４２１によりネジ止めされ、前記球集合板４６０が遊技盤３０の裏面に固定された後には前記ネジ連結部４０１のネジ連結が解除できないようにすると共に前記球集合板４６０が取り外された後には該ネジ連結の解除が可能であることで、例えば廃棄処分等において、前記球集合板４６０（その連結部）を破壊することなく前記ヒンジ金具４１２を取り外し可能とし、リサイクル性を改善している。
更に、具体的には、前記ネジ連結部４０１は、前記開閉のための前記軸４１１を貫設した前部連結体４０１Ａ、４０１Ａと、該前部連結体４０１Ａ、４０１Ａに一体のネジ止め部４０１Ｆと、これに連続する支え部４０１Ｄとを有し、且つ、該ネジ連結部４０１のネジ止め部４０１Ｆは、平板状体で構成され、その一端部の両側部から前記前部連結体４０１Ａ、４０１Ａが、側面視でコの字型を呈するように、夫々折り曲げ形成され、前記支え部４０１Ｄも平板状体で構成されている。
【００８３】
また、前記ヒンジ金具４１２の他方が、やはり実質的にコの字型を呈するように夫々折り曲げ形成された後部連結体４０１Ｂ、４０１Ｂを有し、該後部連結体４０１Ｂ、４０１Ｂは、これに一体の支持面部４０１Ｃを介して、前記第１係合部４１４に繋がり、前記支持面部４０１Ｃが後述の連結台座部材４３０の側面を接当支持している。更に、前記基板ケース２０１の一側部側に位置する前記ヒンジ金具４１２の後部連結体４０１Ｂは、前記基板ケース２０１の一側部側に位置する前記前部連結体４０１Ａの外側に位置されて軸支され、該後部連結体４０１Ｂから第１係合部４１４にかけてその横断面がＬ型に形成され、前記第１係合部４１４が前記後部連結体４０１Ｂから所定距離離れた位置に設けられている。
更に、前記ヒンジ金具４１２には補強体４０１Ｅが設けられ、後述のスペーサー５０１及び前記基板ケース２０１の被覆状態において、該補強体４０１Ｅが前記スペーサー５０１の一部（凹部）に入りこんでいる。
尚、前記ヒンジ金具４１２の２本の軸４１１は、夫々カシメにより前記前部連結体４０１Ａ、４０１Ａ及び前記後部連結体４０１Ｂ、４０１Ｂに対して位置固定されているが、この軸４１１は、前記前部連結体４０１Ａ、４０１Ａ及び前記後部連結体４０１Ｂ、４０１Ｂの間隔が確定的なものであるところから、１本の軸であってもカシメによる枢支連結が十分に可能であるので、１本の軸が用いられてもよい。
【００８４】
前記ヒンジ金具４１２のネジ連結部４０１のネジ止め部４０１Ｆの底部部分には２個のネジ孔４２２が設けられ、遊技盤３０の裏面に固定される球集合板４６０（遊技盤３０の前面の入賞口に入球した遊技球を遊技盤裏面において集合させて排出する通路を形成しているもの）に対してネジ固定される。
【００８５】
ここで、台座部材としての前記球集合板４６０について説明する。
前記球集合板４６０は、遊技盤３０の前面から一般入賞口、始動口、大入賞口から裏面に抜けた遊技球を案内する球集合樋を形成した樋形成側部４６０Ａと、電気部品を敷設する電気部品敷設側部４６０Ｂとの二層構造（遊技機表裏の方向）となっており、前記樋形成部４６０Ａが遊技盤３０に直接固定され、電気部品敷設部４６０Ｂは、この樋形成部４６０Ａの裏面に嵌合され、一体ユニット化される構成となっている。そして、前記連結台４０２は、前記樋形成側部４６０Ａの一側に設けられている。
そして、この電気部品敷設部４６０Ｂに敷設される電気部品としては、中継基板４７０をはじめとして、一般入賞口の入賞検知センサ、始動口３３の入賞を検知するセンサ、可変入賞装置（大入賞口）等がある。
【００８６】
次に、スペーサー５０１について述べる。
このスペーサー５０１は、前記球集合板４６０と前記基板ケース２０１との間のスペースを埋めるもので、両者間の間隙から不正器具を挿入して内部の電気部品に対する不正を阻止し、また、その前記球集合板４６０と前記基板ケース２０１との間に不正基板等の部品を設置し、遊技機を不正に作動させて賞球を得ることを阻止するものであり、前記球集合板４６０を略被覆する大きさに構成され、その表面側は、区画リブが設けられて、前記球集合板４６０の被覆状態でその空間を区画して不正を行い難くすると共に強度向上を図ったおり、また、その長手方向の一端、ここでは、上記ヒンジ金具４１２とは反対側において、前記球集合板４６０の樋形成側部４６０Ａに形成された軸受け部５０２に回動自在に軸支、連結され、これにより前記球集合板４６０に対して開閉自在とされている。前記基板ケース２０１は、このスペーサー５０１が閉じられ、前記球集合板４６０を被覆した状態で、その上から回動によって、該スペーサー５０１の上部を覆う状態となる。
【００８７】
次いで、前記ヒンジ金具４１２の固定構造について述べる。
図７乃至図１９に示すように、前記ヒンジ金具４１２のネジ連結部４０１は、前記球集合板４６０（台座部材）に対して、その遊技盤３０（遊技部材）への取り付け面側からネジ止めされ、前記球集合板４６０が遊技盤３０の裏面に固定された後には前記ネジ連結部４０１のネジ連結が解除できないようにすると共に前記球集合板４６０が取り外された後には該ネジ連結の解除が可能であることで、例えば廃棄処分等において、前記球集合板４６０を破壊することなく前記ヒンジ金具４１２を取り外し可能とするために、次の構造を採用している。
【００８８】
即ち、前記球集合板４６０の裏面に、遊技機裏面側に向けて、約５０ｍｍの高さに突出する連結台４０２が、その前面側に空間を形成する状態で球集合板４６０と一体成型により設けられている。
そして、この連結台４０２には、前記ネジ連結部４０１のネジ止め部４０１Ｆ及び前部連結体４０１Ａ、４０１Ａを挿入するための縦スリット４０３が、遊技盤３０の平面に略平行な方向で形成され、また、前記ネジ連結部４０１の前部連結体４０１Ａ、４０１Ａを挿入するための横スリット４０４、４０４が、遊技盤３０の平面に略直行する方向で前記縦スリット４０３に連続する状態で形成され、且つ、前記連結台４０２の上部に、前記ネジ止め部４０１Ｆを前面側からの螺合で支持するネジ受け部４０５が設けられている。このネジ受け部４０５に２本のネジを螺合させるボス部が備えられており、その背面視（台の頂部から見た）では、凹の形状を呈し、その二つの突出部がその切り欠き貫通部を残して連結台４０２の壁面に一体的形成され、残る三辺が前記縦スリット４０３と横スリット４０４、４０４によって連結台４０２の壁面から離れ、所謂片持ち支持の構造となっている。このように、前記縦スリット４０３と横スリット４０４、４０４は、ネジ受け部４０５の成型によって形成されるもので、その意味ではスリットと呼称するのに代えて、前記ヒンジ金具４１２の取り付け用の挿入溝と言える。
【００８９】
また、前記縦スリット４０３が位置する連結台４０２の一側部（球集合板４６０の中心側に位置）に、該縦スリット４０３への前記ネジ止め部４０１Ｆの挿入後において外部に位置する前記支え部４０１Ｄに接当して支持する支持台部４０６が前記連結台４０２と一体的に形成されている。勿論、この支持台部４０６が連結台４０２と分離される構造としても、機能上問題はない。
更に、前記連結台４０２の横スリット４０４、４０４に対応する内部位置で、且つ、前記支持台部４０６の上面の延長線上で、前記ネジ連結部４０１の両側部を案内する細幅のガイドリブ４０７、４０７が夫々設けられている。
また、前記連結台４０２の内部で、前記ネジ連結部４０１が挿入される奥側の内面壁の幅方向略中央位置に、上下の方向に伸びる１本の補強リブ４０８が形成され、該補強リブ４０８の上端部が前記ネジ止め部４０１Ｆを下方から支持する位置に終端し、前記ネジ受け部４０５の下面との間にネジ止め部４０１Ｆを挿入できる間隙を残している。
【００９０】
上記開閉機構４１０の第１係合部４１４について述べる。
この第１係合部４１４は、前記ヒンジ金具４１２の後部連結体４０１Ｂと、支持面部４０１Ｃを介在させて、反対側に位置され、１枚の板状体で、先端が対向する鉤爪状の二股状係合片４１４Ａに構成されている。この二股状の係合片４１４Ａは、前記ヒンジ金具４１２の軸４１１と平行な方向に延び、従って、後述の連結台座部材４３０の第２係合部４３３との係合は、前記基板ケース２０１の幅方向（パチンコ機１０の上下の方向）に沿って行われることになる。
【００９１】
上記球集合板４６０については、その外周部の複数個所を遊技盤３０に対して固定するが、そのうちの少なくとも一つが固定解除できないように、破断ネジ等でするか、ビス留めしたあと、ビス頭部を覆うキャップを取り付けるようにする等して、球集合板４６０が遊技盤３０から容易に外されるのを防止する構造としてもよい。
そして、上記第１係合部４１４の係合片４１４Ａは、後述の第２係合部４３３の舌片４３３ａ、４３３ｂとでもって、第１係合部４１４の抜け出し防止の規制機構４４０を構成する。
【００９２】
次に、連結台座部材４３０について述べる。
この連結台座部材４３０は、前記開閉機構４１０と前記基板ケース２０１とにそれぞれ連結されるものであり、言わば従来から用いられていた基板ケース２０１を取り付けるための台座に相当するものであって、合成樹脂で成型されており、ここでは、幅は、基板ケース２１０の半分以下で、上下の長さは、その三分の一程度の小型のものであり、基板ケース２０１の第２ケース８５の一端側のコーナー（背面視、左下方位置のコーナー）に位置され、その基板ケース２０１の側面に沿う側の一部が開放され、図１８にも示すように、区画壁を形成する補強のためのリブが多数設けられ、また、破断ネジを収容する収容部４３５、４３５、４３５が形成されており、そこに破断ネジ（図示せず）がセットされるものであるが、周壁、リブの端面は同じレベルに形成され、第２ケース８５の側面に密着接当可能にされており、反対側の側面（スペーサー５０１側）は、略平坦に形成されている。
【００９３】
前記基板ケース２０１のうち、前記連結台座部材４３０と連結封止される部位である第１連結封止部４５０が、その第２ケース８５の一端側のコーナー（背面視、左下方位置のコーナー）に設けられており、ここでは該基板ケース２０１の幅方向に、所定の間隔を隔てて４個突設されている。この第１連結封止部４５０は、第１ケース７０の第１封止部７１と第２ケース８５の第２封止部８６との位置と平面視で位相がずれるように変位して配置されており、従って、基板ケース２０１を背面（遊技機の背面から）から見たときに、前記第１封止部７１と第２封止部８６に重なることなく、視認できる状態にある。
即ち、前記第１封止部７１と第２封止部８６の位置する側に前記第１連結封止部４５０及び第２連結封止部４３２が配置され、且つ、前記基板ケース２０１の背面視（正面）において、前記第１、及び第２連結封止部４５０、４３２（こちらは極一部が見える）が見えるように、前記第１、及び第２封止部７１、８６と平面位相をずらせて配置（４個が連続して直線状に並ぶ）されているのである。
【００９４】
そして、前記連結台座部材４３０には、前記基板ケース２０１の前記第１連結封止部４５０と連結封止される部位である第２連結封止部４３２が、ここでは、４個が、前記４個の第１連結封止部４５０と対応する位置に突設されている。そして、前記第１及び第２連結封止部４５０、４３２は、破断ネジ（頭部が千切れる）を用いて連結封止されるが、そのネジは、第２ケース８５の側から挿入される。
【００９５】
前記連結台座部材４３０の内部に、前記開閉機構４１０の前記第１係合部４１４と係合する部位である第２係合部４３３が設けられる。この第２係合部４３３は、この実施例では、前記連結台座部材４３０の本体とは別体成型の後述する第２被覆部材４３０Ｂに取り付けられる。勿論、別体の第２被覆部材４３０Ｂが存在せず、第２係合部４３３Ａ，４３３Ｂが連結台座部材４３０の樹脂成型時に埋め込たり、或いは、それ自体の弾性変形を利用して、連結台座部材４３０に形成された挿入部４３４の内部に挿入設置されるように構成されてもよいものである。
【００９６】
前記第２係合部４３３は、ここでは、弾性を備えた一枚の薄い板体（鋼板）で構成され、その所定箇所を、前記第１係合部の進行方向側が遊端部となるように、コの字に打ち抜いて舌片４３３ａ，４３３ｂを形成し、該舌片４３３ａ，４３３ｂを、コの字の付け根部で曲げることで弾性係合爪を形成し、且つ、前記第１係合部４１４を金属製の平板状体で構成し、そこに先端が対向する鉤爪状の二股状の係合片４１４Ａを形成することによって、該係合片４１４Ａに前記舌片４３３ａ，４３３ｂの係合爪を係合させ、それぞれ抜け出し防止の規制機構４４０を構成しているのである。そして、前記開閉機構４１０の前記第１係合部４１４を挿入して前記連結台座部材４３０の内部の前記第２係合部４３３に係合させるために前記連結台座部材４３０に、挿入部４３４が形成されている。
【００９７】
このように、前記規制機構４４０は、前記第１係合部４１４と前記第２係合部４３３との係合において、前記開閉機構４１０の第１係合部４１４が前記挿入部４３４に挿入されて前記第２係合部４３３と係合されたあとにその挿入方向とは逆の抜き出す方向への移動を規制するものである。
【００９８】
ここで、更に、前記連結台座部材４３０について詳述言する。前記連結台座部材４３０は、前記基板ケース２０１よりも小さく構成され、前記基板ケース２０１のうち、上述のように基板ケース２０１の裏面側で一端側、即ち、一端側のコーナー（背面視、左下方位置のコーナー）に寄せて位置され、封止、連結されるように構成されているものである。前記第２係合部４３３を被覆するべく前記連結台座部材４３０には被覆部材４３０Ａが備えられている。この被覆部材４３０Ａは、前記連結台座部材４３０に組み合わせるよう別体構成とされ、且つ、その少なくとも一方、ここでは前記連結台座部材４３０に凹面が形成され、他方、即ち、被覆部材４３０Ａに対向するよう組み合わせることで前記第１係合部４１４を挿入するための前記挿入部４３４を形成している。具体的には、前記挿入部４３４は、その入口が、入口側から内部に向かって幅狭となるようにテーパ状に形成され、且つ、挿入方向に沿って複数、ここでは４本の案内リブが形成されている。図中、４３０Ｄは、前記被覆部材４３０Ａの側部に設けた係合突片であり、はめ込みに際して、前記連結台座部材４３０の対応する箇所に係合される。
【００９９】
そして、この被覆部材４３０Ａに、前記第２係合部４３３が設けられるが、その第２係合部４３３の薄板を、被覆部材４３０Ａに形成した係止突片４３０Ｃに、その入口の側からスライド挿入して係止させる。
前記被覆部材４３０Ａは、前記連結台座部材４３０よりも小さく構成され、前記連結台座部材４３０と前記基板ケース２０１とが連結した状態においては、前記被覆部材４３０Ａの取り外し方向側に前記基板ケース２０１が位置された状態となり、前記基板ケース２０１と前記連結台座部材４３０とにより被覆された状態となるように構成されているものである。
【０１００】
（作用）
上述のように、前記基板ケース２０１を、前記球集合板４６０の少なくとも一部を被覆する状態と露出する状態とに開閉するための開閉機構４１０が設けられ、前記開閉機構４１０と前記基板ケース２０１とにそれぞれ連結される連結台座部材４３０が設けられ、更に、前記基板ケース２０１は、前記連結台座部材４３０と連結封止される第１連結封止部４５０を備え、前記連結台座部材４３０は、前記基板ケース２０１と連結封止される第２連結封止部４３２と前記開閉機構４１０に対する第２係合部４３３とを備え、前記開閉機構４１０は、前記第２係合部４３３に係合する前記第１係合部４１４と、開閉のための軸を有するヒンジ金具４１２とを備え、該ヒンジ金具４１２の一方がネジ連結部４０１を有し、前記開閉機構４１０の第１係合部４１４と前記連結台座部材４３０の第２係合部４３３は、両者が一旦係合された後は破壊等強制解除の痕跡を残すことなく解除できないように構成されており、前記ネジ連結部４０１が、前記球集合板４６０に対して、その遊技盤３０への取り付け面側からネジ止めされ、前記球集合板４６０が遊技盤３０の裏面に固定された後には前記ネジ連結部４０１のネジ連結が解除できないようにすると共に前記球集合板４６０が取り外された後には該ネジ連結の解除が可能であることで、前記球集合板４６０を破壊することなく前記ヒンジ金具４１２を取り外し可能としたことにより、遊技機の開閉式の基板ケース２０１のヒンジ金具４１２の取り付けをネジで行いながら組み付け完了後は取り外し不能として不正対策に寄与でき、また、必要に応じて球集合板４６０を破壊しないでネジを取り外すことで、球集合板４６０から取り外し可能とし、リサイクル性を向上させることができるのである。
そして、ヒンジ金具４１２は、そのネジ連結部４０１のヒンジ金具４１２のカシメを行った後の状態で連結台４０２に対して差し込み、しかる後にその遊技盤３０への取り付け面側から連結台４０２に対してネジ止めすることができる予め一体化させた状態での装着方式を採っているので、連結台４０２へのネジ止め後に球集合板４６０を持った状態でヒンジ金具４１２のカシメを行わなければならないという煩わしさはなく、ヒンジ金具４１２の連結台４０２への装着が容易に行い得るものでありながら、不正対策を可能にできるものである。
【０１０１】
そして、前記球集合板４６０の裏面に、遊技機裏面側に向けて突出する連結台４０２が、その前面側に空間を形成する状態で一体成型により設けられており、前記ネジ連結部４０１は、前記開閉のための軸を貫設した前部連結体４０１Ａ、４０１Ａと、該前部連結体４０１Ａ、４０１Ａに一体のネジ止め部４０１Ｆとを有し、前記連結台４０２には、前記ネジ連結部４０１のネジ止め部４０１Ｆ及び前部連結体４０１Ａ、４０１Ａを挿入するための縦スリット４０３が、遊技盤の平面に略平行な方向で形成され、また、前記ネジ連結部４０１の前部連結体４０１Ａ、４０１Ａを挿入するための横スリット４０４、４０４が、遊技盤３０の平面に略直行する方向で前記横スリット４０４、４０４に連続する状態で形成され、且つ、前記連結台４０１の上部に前記ネジ止め部４０１Ｆを前面側からの螺合で支持するネジ受け部４０５が設けられていることで、球集合板４６０にヒンジ金具４１２（ネジ止め部４０１Ｆと前部連結体４０１Ａ、４０１Ａ）の取り付けを行うに、成型ではあるが台構造とし、ヒンジ金具４１２の位置を所要高さに設定できながら該連結台４０２に縦、横スリット４０３、４０４、４０４を形成して差し込むように構成したことによって、連結台４０１の強度を確保し、且つ、ヒンジ金具４１２を球集合板４６０と一体成型するのではなく後付けできるようにするものでありながら、ヒンジ金具４１２の一部を連結台４０１の内側においてネジ止めでき、遊技機の前面側からのネジ止めで遊技盤３０に対する球集合板４６０の取り付け後は外部からネジを外せないようにすることができた。これによって、破断ネジを用いる必要もなく、又、ヒンジ金具４１２を一体成型で埋め込んでしまうことなく、必要に応じて取り外しすることができる。
【０１０２】
また、前記ネジ受け部４０５は、前記縦スリット４０３及び横スリット４０４、４０４を形成するようにして前記連結台４０１の上部に、その一側部で片持ち支持されるように一体成型されており、前記ネジ連結部４０１は、前記ネジ止め部４０１Ｆに連続して延設された支え部４０１Ｄを有し、前記縦スリット４０３が位置する連結台４０２の一側部に、該縦スリット４０３への前記ネジ止め部４０１Ｆの挿入後において外部に位置する前記支え部４０１Ｄに接当して支持する支持台部４０６が前記連結台４０１と一体的に形成されていることにより、ヒンジ金具４１２を差込方式で後付けできるように、前記縦スリット４０３及び横スリット４０４、４０４を形成したことで、そのネジ受け部４０５は結果として片持ち支持される構造となり、その為、ここにネジ止めされたヒンジ金具４１２のネジ連結部４０１に、その前部連結体４０１Ａ、４０１Ａを介して伝わる基板ケース２０１等の荷重（基板ケース２０１の特に閉鎖時にも曲げモーメントが作用する）が、その片持ち支持のネジ受け部４０５を連結台内方に向けて折るように作用することになるのであるが、これを、前記支え部４０１Ｄを介して、前記支持台部４０６で受け止め、前記ネジ受け部４０５が撓まないように支持することができるのである。この際、前記支持台部４０６が前記連結台４０１と一体的に形成されていることで、十分な強度でもって、荷重に対向してネジ受け部４０５を保護できるのである。
【０１０３】
更に、前記ネジ連結部４０１のネジ止め部４０１Ｆは、平板状体で構成され、その一端部の両側部から前部連結体４０１Ａ、４０１Ａが、側面視でコの字型を呈するように、夫々折り曲げ形成されているので、ヒンジ金具４１２のネジ連結部４０１を、平板状体を折り曲げた簡単な構造で得ることができると共にコの字型として支持強度を発揮させることができる。
そして、前記ヒンジ金具４１２の他方が後部連結体４０１Ｂ、４０１Ｂを有し、該後部連結体４０１Ｂ、４０１Ｂは、これに一体の支持面部４０１Ｃを介して、前記第１係合部４１４に繋がり、前記支持面部４０１Ｃが前記連結台座部材４３０の側面を接当支持しているので、ヒンジ金具４１２の他方が後部連結体４０１Ｂ、４０１Ｂを有し、これに支持面部４０１Ｃが一体となっていて、この部分が連結台座部材４３０の側面に接当されることで、基板ケース２０１の開閉に際して、この支持面部４０１Ｃを介して開閉力を伝達できて、第２係合部４３３のみに力が作用することがないようにして、支持力を分散させることができるのである。
【０１０４】
また、前記基板ケース２０１よりも前方側において、スペーサー５０１が、前記球集合板４６０を直接に被覆する状態と露出する状態に開閉するように、前記基板ケース２０１の前記ヒンジ金具４１２とは反対側において回動自在に設けられ、前記ヒンジ金具４１２には補強体４０１Ｅが設けられ、前記スペーサー５０１及び基板ケースの被覆状態において、該補強体４０１Ｅが前記スペーサー５０１の一部（凹部）に入りこんでいることにより、スペーサー５０１により球集合板４６０が被覆される構成において、前記ヒンジ金具４１２の補強体４０１Ｅがスペーサー５０１の一部に入り込む構造としたことで、ヒンジ金具４１２に加わる荷重を、スペーサー５０１に伝達して分散支持させることが出来るのである。尚、この補強体４０１Ｅのスペーサー５０１への入り込みとしては、スペーサー５０１に凹部を形成してもよく、壁面にスリットを形成してもよく、荷重が作用したときの僅かの撓みにより生じる接当状態で支持作用が得られればよくて、常時接触状態でなくともよい。
【０１０５】
更に、前記連結台４０２の横スリット４０４、４０４に対応する内部位置で、且つ、前記支持台部４０６の上面の延長線上で、前記ネジ連結部４０１の両側部を案内するガイドリブ４０７、４０７が夫々設けられているので、ヒンジ金具４１２のネジ連結部４０１を縦、横スリット４０３、４０４、４０４を通して連結台４０２に挿入する際に、そのネジ連結部４０１のネジ止め部４０１Ｆとこれに連続して延設された支え部４０１Ｄを前記支持台部４０６の上面に載せ、滑らせて挿入して行くと、その支持台部４０６の上面を過ぎたところからは、そのネジ止め部４０１Ｆの両側部分を前記ガイドリブ４０７、４０７に乗せて案内させながら連結台４０２の内部へとスムースに挿入することができる。
【０１０６】
また、前記連結台４０２の内部で、前記ネジ連結部４０１が挿入される奥側の内面壁の幅方向略中央位置に、上下の方向に伸びる補強リブ４０８が形成され、該補強リブ４０８の上端部が前記ネジ止め部４０１Ｆを下方から支持する位置に終端しているので、ネジ連結部４０１を連結台４０２の内部に挿入したときに位置を安定させることができ、以って、ネジ止め部４０１Ｆのネジ受け部４０５に対するネジ止め作業を楽に行い得ると共にネジ連結部４０１の端部を支持することでのネジ受け部４０５の荷重による撓みに対向することができるのである。
【０１０７】
そして、前記基板ケース２０１の一側部側に位置する前記ヒンジ金具４１２の後部連結体４０１Ｂ、４０１Ｂは、前記基板ケース２０１の一側部側に位置する前記前部連結体４０１Ａ、４０１Ａの外側に位置されて軸支され、該後部連結体４０１Ｂ、４０１Ｂから第１係合部４１４にかけてその横断面がＬ型に形成され、前記第１係合部４１４が前記後部連結体４０１Ｂ、４０１Ｂから所定距離離れた位置に設けられているので、ヒンジ金具４１２による基板ケース２０１の支えを、基板ケース２０１の長手方向の略中間部側にすることによって、例えば基板ケース２０１の長手方向側の端部での連結支持に比べて、安定支持できることになるが、そのために前記第１係合突片部４１４を後部連結体４０１Ｂ、４０１Ｂから所定距離だけ離すようにする必要があり、この部分をＬ型構造とすることで、出来るだけ軽量化しながら十分な強度を付与できて、基板ケース２０１の支持を強固に安定させることができるのである。
【０１０８】
また、前記ヒンジ金具４１２の２本の軸４１１、４１１(軸形状は図示省略)は、夫々カシメにより前記前部連結体４０１Ａ、４０１Ａ及び前記後部連結体４０１Ｂ、４０１Ｂに対して位置固定されるものであるから、その連結は一旦行われると解除できないものであり、これにより、ネジ連結などのヒンジ金具では容易に分離されて基板ケースを取り替えられてしまう危険性を回避できることになり、このヒンジ金具４１２をターゲットとした不正を回避できるものである。
【０１０９】
以上、一実施形態に基づいて本発明を説明したが、本発明は、上記形態に何等限定されるものではなく、本発明の趣旨を逸脱しない範囲内で種々の変形改良が可能であることは容易に推察できるものである。
【産業上の利用可能性】
【０１１０】
本発明は、基板ケースを備え、基板ケースを開閉する機能を備えた遊技機であれば、適宜実施可能であり、その適用範囲は広いものである。
【符号の説明】
【０１１１】
３０：遊技盤
２０１：基板ケース
４０１：ネジ連結部
４１１：軸
４１２：ヒンジ金具
４１４：第２係合部
４３０：連結台座部材
４３２：第２連結封止部
４３３：第１係合部
４５０：第１連結封止部
４６０：球集合板
【図１】
0005962931.tif 000002
【図２】
0005962931.tif 000003
【図３】
0005962931.tif 000004
【図４】
0005962931.tif 000005
【図５】
0005962931.tif 000006
【図６】
0005962931.tif 000007
【図７】
0005962931.tif 000008
【図８】
0005962931.tif 000009
【図９】
0005962931.tif 000010
【図１０】
0005962931.tif 000011
【図１１】
0005962931.tif 000012
【図１２】
0005962931.tif 000013
【図１３】
0005962931.tif 000014
【図１４】
0005962931.tif 000015
【図１５】
0005962931.tif 000016
【図１６】
0005962931.tif 000017
【図１７】
0005962931.tif 000018
【図１８】
0005962931.tif 000019
【図１９】
0005962931.tif 000020